(57)【要約】【課題】アナログ時計の文字盤に付帯的な表示情報を表示する情報表示装置および方法とその情報表示プログラムにおいて、時刻情報と表示情報の視認性の向上させる。【解決手段】情報表示装置１は、表示情報表示部５により、表示情報記憶部２から表示情報を読み出すとともに、時刻情報記憶部３からアナログ時計の文字盤における時針及び分針のなす角度を読み出し、表示情報を角度の大きい方の領域に表示することで、時計の針と表示情報が重なることなく、文字盤上に表示情報を表示することができ、時刻情報と表示情報の視認性を向上させることが可能となる。【選択図】図１
2006242717.tif 000002
【特許請求の範囲】
【請求項１】
アナログ時計の文字盤に表示する付帯的な表示情報を記憶しておく表示情報記憶手段と、
アナログ時計の時刻情報を記憶しておく時刻情報記憶手段と、
時刻情報記憶手段から前記時刻情報を取得し、当該時刻情報に基づいて時針と分針のなす角度を算出して記憶手段に格納する角度算出手段と、
表示情報記憶手段から前記表示情報を読み出すとともに、前記記憶手段から前記角度を読み出し、前記表示情報を文字盤において前記時針及び分針に重ならないように表示する表示情報表示手段と、
を有することを特徴とする情報表示装置。
【請求項２】
前記時刻情報を時刻情報記憶手段から取得し、当該時刻情報に基づいて時針及び分針のそれぞれに最も近い文字盤における数字を算出して記憶手段に格納する数字算出手段と、
前記記憶手段から前記数字を読み出して、当該数字を文字盤の該当する位置に表示する文字盤数字表示手段と、
を有することを特徴とする請求項１記載の情報表示装置。
【請求項３】
前記表示情報がｎ個（ｎは２以上の整数）ある場合に、前記記憶手段から前記角度を読み出し、広い方の角度をｎ＋１等分したｎ本の等分線を算出して当該各等分線に関する情報を表示位置として記憶手段に格納する表示位置算出手段をさらに有し、
前記表示情報表示手段は、前記記憶手段から前記表示位置を読み出し、文字盤における当該等分線に対応する位置に前記各表示情報を表示することを特徴とする請求項１又は２記載の情報表示装置。
【請求項４】
アナログ時計の文字盤に表示する付帯的な表示情報を表示情報記憶手段に記憶するステップと、
アナログ時計の時刻情報を時刻情報記憶手段に記憶するステップと、
角度算出手段により、時刻情報記憶手段から前記時刻情報を取得し、当該時刻情報に基づいて時針と分針のなす角度を算出して記憶手段に格納するステップと、
表示情報表示手段により、表示情報記憶手段から前記表示情報を読み出すとともに、前記記憶手段から前記角度を読み出し、前記表示情報を文字盤において前記時針及び分針に重ならないように表示するステップと、
を有することを特徴とする情報表示方法。
【請求項５】
数字算出手段により、時刻情報記憶手段から前記時刻情報を取得し、当該時刻情報に基づいて時針及び分針のそれぞれに最も近い文字盤における数字を算出して記憶手段に格納するステップと、
文字盤数字表示手段により、前記記憶手段から前記数字を読み出して、当該数字を文字盤の該当する位置に表示するステップと、
を有することを特徴とする請求項４記載の情報表示方法。
【請求項６】
表示位置算出手段により、前記表示情報がｎ個（ｎは２以上の整数）ある場合に、前記記憶手段から前記角度を読み出し、広い方の角度をｎ＋１等分したｎ本の等分線を算出して当該各等分線に関する情報を表示位置として記憶手段に格納するステップをさらに有し、
前記表示情報表示手段により、前記記憶手段から前記表示位置を読み出し、文字盤における当該等分線に対応する位置に前記各表示情報を表示するステップを有することを特徴とする請求項４又は５記載の情報表示方法。
【請求項７】
アナログ時計の文字盤に表示する付帯的な表示情報を表示情報記憶手段に記憶する処理と、
アナログ時計の時刻情報を時刻情報記憶手段に記憶する処理と、
角度算出手段により、時刻情報記憶手段から前記時刻情報を取得し、当該時刻情報に基づいて時針と分針のなす角度を算出して記憶手段に格納する処理と、
表示情報表示手段により、表示情報記憶手段から前記表示情報を読み出すとともに、前記記憶手段から前記角度を読み出し、前記表示情報を文字盤において前記時針及び分針に重ならないように表示する処理と、
をコンピュータシステムに実行させることを特徴とする情報表示プログラム。
【請求項８】
数字算出手段により、時刻情報記憶手段から前記時刻情報を取得し、当該時刻情報に基づいて時針及び分針のそれぞれに最も近い文字盤における数字を算出して記憶手段に格納する処理と、
文字盤数字表示手段により、前記記憶手段から前記数字を読み出して、当該数字を文字盤の該当する位置に表示する処理と、
をコンピュータシステムに実行させることを特徴とする請求項７記載の情報表示プログラム。
【請求項９】
表示位置算出手段により、前記表示情報がｎ個（ｎは２以上の整数）ある場合に、前記記憶手段から前記角度を読み出し、広い方の角度をｎ＋１等分したｎ本の等分線を算出して当該各等分線に関する情報を表示位置として記憶手段に格納する処理と、
前記表示情報表示手段により、前記記憶手段から前記表示位置を読み出し、文字盤における当該等分線に対応する位置に前記各表示情報を表示する処理と、
をコンピュータシステムに実行させることを特徴とする請求項７又は８記載の情報表示プログラム。
【発明の詳細な説明】
【技術分野】
【０００１】
本発明は、情報を表示する表示技術に関し、特に、アナログ時計の文字盤に付帯的な表示情報を表示する情報表示装置および方法とその情報表示プログラムに関する。
【背景技術】
【０００２】
近年、ネットワーク経由の情報を表示する情報家電として、液晶表示装置を使用した様々な宅内調度品型の情報表示装置が提案されている。
【０００３】
例えば、遠隔地にいる親しい人の写真と組み合わせて、その人の現在の状態に関するオンライン情報を自動取得して表示する写真立て型の情報表示装置、カレンダーと組み合わせて、イベントや商品発売日に関するオンライン情報を自動取得して表示するカレンダー型の情報表示装置、現在時刻と組み合わせて、テレビ番組に関するオンライン情報を自動取得して表示する時計型の情報表示装置などがある。
【０００４】
このような装置を利用した場合には、例えば、遠隔地にいる親しい人を気にかけて写真立て型の情報表示装置に目をやったときや、スケジュールを気にかけてカレンダー型の情報表示装置に目をやったとき、或いは現在時刻を気にかけて時計型の情報表示装置に目をやったときなどに、状況に応じて特に興味を引くようなオンライン情報を付帯的に知ることができるので便利である（非特許文献１参照）。
【０００５】
中でも時計型の情報表示装置においては、時計としての受け入れやすさを優先して時刻を表示する部分には、人々が最も慣れ親しんでいるアナログ時計式（文字盤の数字を針で示して時刻を表す時計）の表示方法が採用され、現在時刻と、オンライン情報などの付帯的な表示情報とを表示するための様々な表示技術が考えられている。以下、例を挙げて説明する。
【０００６】
図８に示すような時計型の情報表示装置８０１は、表示面内において、時刻表示領域８０２と表示情報表示領域８０３とを設け、各領域に時刻情報と表示情報とを別々に表示する。このような場合は、情報表示装置８０１に目を向けたときに時刻情報を第１に伝達したい場合は不向きである。
【０００７】
これに対し、図９に示すような時計型の情報表示装置９０１は、従来のアナログ時計と同様、装置の表示面を時刻表示領域９０２とし、アナログ時計の文字盤を表示し、さらに、文字盤の内側の定位置（同図では中央下）を表示情報表示領域９０３とし、表示情報を表示する。このような場合は、情報表示装置９０１に目を向けたときに時刻情報を第１に伝達することが可能である。  
【非特許文献１】前田篤彦，筒井章博「実世界指向ポータル：ハンディデバイスを介した受動的メディアと能動的メディアの統合環境」，情報処理学会，インタラクション２００４論文集，ｐ．２４９−２５０
【発明の開示】
【発明が解決しようとする課題】
【０００８】
しかしながら、図９の時計型の情報表示装置９０１においては、図１０に示すように、時刻情報を表す時計の針と表示情報が重なってしまい、表示面の視認性が悪くなるという問題があった。
【０００９】
本発明は、上記問題点に鑑み、アナログ時計の文字盤に付帯的な表示情報を表示する情報表示装置および方法とその情報表示プログラムにおいて、時刻情報と表示情報の視認性を向上させることを目的とする。
【課題を解決するための手段】
【００１０】
第１の本発明に係る情報表示装置は、アナログ時計の文字盤に表示する付帯的な表示情報を記憶しておく表示情報記憶手段と、アナログ時計の時刻情報を記憶しておく時刻情報記憶手段と、時刻情報記憶手段から時刻情報を取得し、この時刻情報に基づいて時針と分針のなす角度を算出して記憶手段に格納する角度算出手段と、表示情報記憶手段から前記表示情報を読み出すとともに、記憶手段から角度を読み出し、前記表示情報を文字盤において前記時針及び分針に重ならないように表示する表示情報表示手段と、を有することを特徴とする。
【００１１】
本発明にあっては、角度算出手段により、時刻情報に基づいて時針と分針のなす角度を算出し、表示情報表示手段により、表示情報を文字盤において時針及び分針に重ならないように表示するようにしたことで、時計の針と表示情報が重なることなく、文字盤上に表示情報を表示することができる。
【００１２】
上記情報表示装置は、時刻情報を時刻情報記憶手段から取得し、この時刻情報に基づいて時針及び分針のそれぞれに最も近い文字盤における数字を算出して記憶手段に格納する数字算出手段と、記憶手段から数字を読み出して、この数字を文字盤の該当する位置に表示する文字盤数字表示手段と、を有することを特徴とする。
【００１３】
本発明にあっては、数字算出手段により、時刻情報に基づいて時針及び分針のそれぞれ最も近い文字盤における数字を算出し、文字盤数字表示手段により、数字を文字盤の該当する位置に表示するようにしたことで、文字盤の数字と表示情報が密集することなく、文字盤上に表示情報を表示することができる。
【００１４】
また、上記情報表示装置において、表示情報がｎ個（ｎは２以上の整数）ある場合に、記憶手段から角度を読み出し、広い方の角度をｎ＋１等分したｎ本の等分線を算出してこの各等分線に関する情報を表示位置として記憶手段に格納する表示位置算出手段をさらに有し、表示情報表示手段は、記憶手段から表示位置を読み出し、文字盤におけるこの等分線に対応する位置に各表示情報を表示することを特徴とする。
【００１５】
本発明にあっては、表示情報がｎ個ある場合に、表示位置算出手段により、広いほうの角度をｎ＋１等分したｎ本の等分線を算出し、表示情報表示手段により、この等分線に対応する位置に各表示情報を表示するようにしたことで、表示情報が複数あったとしても時計の針が表示情報と重なることなく、文字盤上の各表示情報を均等な間隔で表示することができる。
【００１６】
第２の本発明に係る情報表示方法は、アナログ時計の文字盤に表示する付帯的な表示情報を表示情報記憶手段に記憶するステップと、アナログ時計の時刻情報を時刻情報記憶手段に記憶するステップと、角度算出手段により、時刻情報記憶手段から時刻情報を取得し、この時刻情報に基づいて時針と分針のなす角度を算出して記憶手段に格納するステップと、表示情報表示手段により、表示情報記憶手段から表示情報を読み出すとともに、記憶手段から角度を読み出し、表示情報を文字盤において時針及び分針に重ならないように表示するステップと、を有することを特徴とする。
【００１７】
本発明にあっては、角度算出手段により、時刻情報に基づいてアナログ時計の文字盤における時針と分針のなす角度を算出するステップと、表示情報表示手段により、表示情報を文字盤において時針及び分針に重ならないように表示するステップとを有するようにしたことで、時計の針と表示情報が重なることなく、文字盤上に表示情報を表示することができる。
【００１８】
上記情報表示方法においては、数字算出手段により、時刻情報記憶手段から時刻情報を取得し、この時刻情報に基づいて時針及び分針のそれぞれに最も近い文字盤における数字を算出して記憶手段に格納するステップと、文字盤数字表示手段により、記憶手段から数字を読み出して、この数字を文字盤の該当する位置に表示するステップと、を有することを特徴とする。
【００１９】
本発明にあっては、数字算出手段により、時刻情報に基づいて時針及び分針のそれぞれ最も近い文字盤における数字を算出するステップと、文字盤数字表示手段により、数字を文字盤の該当する位置に表示するステップとを有するようにしたことで、文字盤の数字と表示情報が密集することなく、文字盤上に表示情報を表示することができる。
【００２０】
上記情報表示方法においては、表示位置算出手段により、表示情報がｎ個（ｎは２以上の整数）ある場合に、記憶手段から角度を読み出し、広い方の角度をｎ＋１等分したｎ本の等分線を算出してこの各等分線に関する情報を表示位置として記憶手段に格納するステップをさらに有し、表示情報表示手段により、記憶手段から表示位置を読み出し、文字盤におけるこの等分線に対応する位置に前記各表示情報を表示するステップを有することを特徴とする。
【００２１】
本発明にあっては、表示情報がｎ個ある場合に、表示情報位置算出手段により、広い方の角度をｎ＋１等分したｎ本の等分線を算出するステップと、表示情報表示手段により、この等分線に対応する位置に書く表示情報を表示するステップを有するようにしたことで、表示情報が複数あったとしても時計の針が表示情報と重なることなく、文字盤上の各表示情報を均等な間隔で表示することができる。
【００２２】
第３の本発明に係る情報表示プログラムは、アナログ時計の文字盤に表示する付帯的な表示情報を表示情報記憶手段に記憶する処理と、アナログ時計の時刻情報を時刻情報記憶手段に記憶する処理と、角度算出手段により、時刻情報記憶手段から時刻情報を取得し、この時刻情報に基づいて時針と分針のなす角度を算出して記憶手段に格納する処理と、表示情報表示手段により、表示情報記憶手段から表示情報を読み出すとともに、記憶手段から角度を読み出し、前記表示情報を文字盤において前記時針及び分針に重ならないように表示する処理と、をコンピュータシステムに実行させることを特徴とする。
【００２３】
上記情報表示プログラムにおいては、数字算出手段により、時刻情報記憶手段から時刻情報を取得し、この時刻情報に基づいて時針及び分針のそれぞれに最も近い文字盤における数字を算出して記憶手段に格納する処理と、文字盤数字表示手段により、記憶手段から数字を読み出して、この数字を文字盤の該当する位置に表示する処理と、をコンピュータシステムに実行させることを特徴とする。
【００２４】
上記情報表示プログラムにおいては、表示位置算出手段により、表示情報がｎ個（ｎは２以上の整数）ある場合に、記憶手段から角度を読み出し、広い方の角度をｎ＋１等分したｎ本の等分線を算出してこの各等分線に関する情報を表示位置として記憶手段に格納する処理と、表示情報表示手段により、記憶手段から表示位置を読み出し、文字盤におけるこの等分線に対応する位置に各表示情報を表示する処理と、をコンピュータシステムに実行させることを特徴とする。
【００２５】
尚、本発明におけるコンピュータシステムとは、制御装置、演算装置、入力装置、出力装置、表示装置、記憶装置などの要素を備え、プログラムに従って各種の処理を実行することが可能な情報処理機器をさし、例えばパーソナルコンピュータ、ノートブックコンピュータ、デジタルビデオカメラ、小型携帯情報端末、携帯電話などをさす。
【発明の効果】
【００２６】
本発明のアナログ時計の文字盤に付帯的な表示情報を表示する情報表示装置および方法とその情報表示プログラムによれば、時刻情報と表示情報の視認性を向上させることができる。
【発明を実施するための最良の形態】
【００２７】
以下、本発明の一実施の形態について、図面を用いて説明する。
【００２８】
図１は、本発明の一実施の形態に係る時計型の情報表示装置１（以下、本情報表示装置１とする）の全体構成図である。
【００２９】
同図の本情報表示装置１は、表示情報記憶部２と、時刻情報記憶部３と、角度算出部４と、表示情報表示部５と、表示位置算出部６と、数字算出部７と、文字盤数字表示部８、現在時刻算出部９と、通信部１０と、表示情報処理部１１とを備える。
【００３０】
表示情報記憶部２は、アナログ時計の文字盤に表示させる付帯的な表示情報を記憶する。時刻情報記憶部３は、アナログ時計の時刻情報を記憶する。
【００３１】
角度算出部４は、時刻情報記憶部３から時刻情報を取得し、時刻情報に基づいて時針と分針のなす角度を算出し、その結果を例えば、時刻情報記憶部３に格納する。
【００３２】
表示情報表示部５は、表示情報記憶部２から表示情報を読み出すとともに、時刻情報記憶部３から時計針の角度を読み出し、表示情報を文字盤において時針及び分針に重ならないように表示する。ここでは例えば、表示情報を時計針のなす角度の大きい方の領域に表示する。
【００３３】
表示位置算出部６は、表示情報がｎ個（ｎは２以上の整数）ある場合に、時刻情報記憶部３から時計針の角度を読み出し、広い方の角度をｎ＋１等分したｎ本の等分線を算出し、この各等分線に関する表示情報の表示位置を、例えば表示情報記憶部２に格納する。
【００３４】
数字算出部７は、時刻情報を時刻情報記憶部３から取得し、この時刻情報に基づいて時針及び分針のそれぞれに最も近い文字盤における数字を算出し、その結果を例えば、時刻情報記憶部３に格納する。
【００３５】
文字盤数字表示部８は、時刻情報記憶部３から数字を読み出して、この数字を文字盤の該当する位置に表示する。このとき、例えば文字盤数字表示部８は、時刻情報記憶部３から時計の針の角度を読み出してアナログ時計の時針と分針も表示する。
【００３６】
現在時刻算出部９は現在時刻を算出し、例えば時刻情報記憶部３の現在時刻の情報を更新する。通信部１０は、赤外線通信又はインターネットなどのネットワークを経由して情報の送受信を行う。表示情報処理部１１は、通信部１０からネットワーク経由で得られた表示情報に関する命令を処理する又は、表示情報の内容を表示情報記憶部２に格納する。
【００３７】
また、本情報表示装置１はアラーム機能などの各種設定条件の入力指示又は変更指示を受け付ける入力手段を備えている（図１では図示せず）。
【００３８】
図２は、本情報表示装置１の正面図である。ここでは本情報表示装置１の正面に表示面がほぼ全面に配置されている。同図に示すように本情報表示装置１は、アナログ時計式の時刻表示を行い、ここでは時刻は２時３７分の状態を示している。表示情報はアナログ時計の文字盤上において、チャンネルと呼ばれる矩形状の表示領域に時針と分針に重ならないように表示する。ここでは例えばチャンネルは時計針のなす角度の大きいほうの領域に表示する。
【００３９】
また、チャンネルは複数表示することが可能であり、同図ではチャンネル１とチャンネル２が表示されている。チャンネル１には表示情報Ａが、チャンネル２には表示情報Ｂが表示されている。
【００４０】
次に本情報表示装置１における文字盤上に表示する数字について図２の正面図を用いて説明する。文字盤上に表示する数字は、時刻情報に基づいて時針及び分針のそれぞれに最も近い文字盤上の数字を文字盤の該当する位置に表示し、それ以外は非表示にする。
【００４１】
以下、文字盤に表示する数字の算出方法について説明する。ここでは、現在時刻を３０分進めた時刻の時に対応する文字盤上の数字を、時針に最も近い文字盤上の数字とし、現在時刻を４分進めたときと４分戻した時の分針のなす小さいほうの角度の内側に含まれる数字を、分針に最も近い文字盤の数字とする。
【００４２】
例えば、図２において時刻は２時３７分の状態である。この時間を３０分進めると３時０７分であるので、文字盤上の「３」が表示されている。また２時３７分を４分戻した２時３３分のときの分針と、４分進めた２時４１分のときの分針のなす小さいほうの角の内側には「７」及び「８」が含まれるので、これらの数字も表示されている。残りの数字は非表示になっている。
【００４３】
図３は図２で示した時刻状態において本情報表示装置１の各記憶部に格納されるデータの構成を示すテーブル図である。同図（ａ）の表示情報テーブルは、表示情報記憶部２に格納される表示情報を表しており、各チャンネルに対応して、アナログ時計の文字盤に表示する表示情報とその表示位置とが格納される。チャンネルは、通信部１０からのネットワーク経由で受信される命令により登録又は削除される。表示情報は、通信部１０からのネットワーク経由で受信される文字情報や画像情報などのオンライン情報であり、新しい情報に随時更新される。表示位置は、各チャンネルの表示角度を表している。
【００４４】
同図の例ではチャンネル１に対応する表示情報Ａの内容とその表示位置を表す表示角度２９４．２°、チャンネル２に対応する表示情報Ｂの内容とその表示位置を表す表示角度６．３°がそれぞれ格納されている。
【００４５】
同図（ｂ）の時刻情報テーブルは、時刻情報記憶部３に格納されるアナログ時計の時刻情報を表しており、時計の針に対応して、時針及び分針それぞれの時計針の角度と文字盤上に表示する数字が格納される。
【００４６】
同図の例では時針に対応する時計針の角度７８．５°と文字盤上に表示する数字３、分針に対応する時計針の角度２２２°と文字盤上に表示する数字７，８がそれぞれ格納されている。
【００４７】
次に、本情報表示装置１の情報表示方法について図４の正面図と図５のフローチャートを用いて具体的に説明する。ここでは本情報表示装置１は、現在時刻が２時３７分の状態において、表示面上にチャンネル１及びチャンネル２を表示する。
【００４８】
ステップ１：本情報表示装置１において、例えば通信部１０が、チャンネル名と命令が指定されている「チャンネル命令（登録又は削除）」を受信すると、表示情報処理部１１へ転送する。ここで例えば「チャンネル命令」はチャンネル１とチャンネル２の登録命令である。
【００４９】
ステップ２：表示情報処理部１１は、表示するチャンネルの名前を表示情報記憶部２に格納する（削除命令の場合には、格納されているチャンネルの名前を削除する）。ここで格納するチャンネル名は、チャンネル１とチャンネル２である（図３の表示情報テーブル（ａ）参照）。
【００５０】
ステップ３：次に、例えば通信部１０がチャンネル名と表示情報の内容が指定された「表示情報」を受信すると、表示情報処理部１１に転送する。ここで例えば「表示情報」は、チャンネル１には表示情報Ａ、チャンネル２には表示情報Ｂが対応する。
【００５１】
ステップ４：表示情報処理部１１は「表示情報」を表示情報記憶部２に格納する。ここで格納する「表示情報」は、チャンネル１には表示情報Ａが、チャンネル２には表示情報Ｂが対応する（図３の表示情報テーブル（ａ）参照）。
【００５２】
ステップ５：角度算出部４は、時刻情報記憶部３から現在時刻を取得し、表示面で表示する時針及び分針の角度を算出する。そして、算出した時針及び分針の角度を時刻情報記憶部３に格納する。ここで格納する時針の角度は７８．５°、分針の角度は２２２°である（図３の時刻情報テーブル（ｂ）参照）。
【００５３】
ステップ６：次に、表示位置算出部６は各チャンネルの表示位置を算出する。まず、時刻情報記憶部３から時計の時針と分針の角度を読み出し、時針と分針がなす大きいほうの角度を算出する。さらに、登録されたチャンネル数がｎであれば、時針と分針のなす大きいほうの角度の（ｎ＋１）等分線を算出する。図４では、チャンネル数が２個であるので大きいほうの角の３等分線を算出する。その結果、チャンネル１、チャンネル２に対応して３等分線である線１０１と線２０１が求まる。次に、これらの直線上で時計の中心（時針と分針の付け根）から予め設定された定距離ｒの点１０２、２０２が求まる。ここでは、算出された線１０１と線２０１のなす角度が各チャンネルの表示角度に対応する。
【００５４】
表示位置算出部６は、ここではチャンネル１の表示角度２９４．２°とチャンネル２の表示角度６．３°を、チャンネルの表示位置とし、各チャンネルの表示位置を表示情報記憶部２に格納する。ここで格納するチャンネル１の表示位置は２９４．２°、チャンネル２の表示位置は６．３°である（図３の表示情報テーブル（ａ）参照）。
【００５５】
ステップ７：次に、数字算出部７は時針、分針のそれぞれに最も近い文字盤における数字を算出する。ここでは現在時刻を３０分進めた時刻の時に対応する文字盤上の数字を時針に最も近い文字盤上の数字とし、現在時刻を４分進めたときと、４分戻した時の分針のなす角度の内側に含まれる数字を分針に最も近い文字盤の数字とする。
【００５６】
まず、数字算出部７は時刻情報記憶部３から現在時刻（ここでは２時３７分）に関する情報を取得する。現在時刻を３０分進めた時刻は３時０７分となるので、時針に対応する文字盤の数字は３になる。また現在時刻を４分戻した時刻２時３３分の分針と、現在時刻を４分進めた時刻２時４１分での分針のなす小さいほうの角の内側に含まれる文字盤の数字は７，８となるので、分針に対応する文字盤の数字は７，８になる。
【００５７】
そして、数字算出部７は、算出された時針分針に対応する文字盤の数字３と、分針に対応する文字盤の数字７，８とを時刻情報記憶部３に格納する。ここで格納する文字盤の数字は、時針の数字が３で、分針の数字が７，８である（図３の時刻情報テーブル（ｂ）参照）。
【００５８】
ステップ８：表示情報表示部５は表示情報記憶部２から各チャンネルの表示情報及びその表示位置と、時刻情報記憶部３から時計針の角度を読み出し、各チャンネルを時計針の角度の広いほうの文字盤上の領域に表示する。図４では、チャンネル１を、ステップ６で算出した線１０１の直線上において時計の中心（時針と分針の付け根）から定距離ｒの点１０２に、チャンネル１の中心が重なるように表示し、チャンネル２を、線２０１の直線上において時計の中心から定距離ｒの点２０２に、チャンネル２の中心が重なるように表示する。このとき、チャンネルは、登録されてあるチャンネル番号順に時計回りに表示する。
【００５９】
また、文字盤数字表示部８は時刻情報記憶部３から数字を読み出し、この数字を文字盤の該当する位置に表示する。このとき、例えば文字盤数字表示部８は、時刻情報記憶部３から時計の針の角度を読み出して、この角度を基にしてアナログ時計の時針と分針も表示する。このようにして本情報表示装置１は、時計の文字盤の数字、時計の針、チャンネルを表示面に表示する。
【００６０】
これ以降は、これらのステップを繰り返し、各記憶手段に格納された情報は随時更新される。
【００６１】
図６は、本情報表示装置の表示面における表示が、時間経過に従ってどのように変わるかを４つの異なる時刻（１）〜（４）を用いて表した図である。同図においてもチャンネル１とチャンネル２が設定され、チャンネル１の内側には表示情報Ａが、チャンネル２の内側には表示情報Ｂが表示される。
【００６２】
最初の時刻（１）は、２時３７分頃の状態を示している。この場合は時針と分針のなす大きいほうの角度は表示面内の上方に位置するので、チャンネル１及びチャンネル２は表示面内の上方に表示される。文字盤上に表示される数字は、時針に近い数字が３、分針に近い数字が７及び８である。
【００６３】
次の時刻（２）は、２時４３分頃の状態を示している。この場合も時針と分針のなす大きいほうの角度は、表示面内の上方に位置するので、両チャンネルは時刻（１）の状態に比べ表示位置が若干移動するが、表示面内の上方に表示される。文字盤上に表示される数字は、時針に近い数字が３、分針に近い数字が８及び９である。
【００６４】
次の時刻（３）は、２時４７分頃の状態を示している。この場合は時針と分針のなす大きいほうの角は、表示面内の下方に位置するので、両チャンネルは下方に表示される。文字盤上に表示される数字は、時針に近い数字が３、分針に近い数字が９及び１０である。
【００６５】
最後の時刻（４）は、３時０２分頃の状態を示している。この場合は時針と分針のなす大きいほうの角が表示面内の左方から下方に位置するので、両チャンネルは左方から下方にかけて表示される。文字盤上に表示される数字は、時針に近い数字が３、分針に近い数字が１及び１２である。
【００６６】
このように、時間経過に従って、本情報表示装置１の表示面においては、表示情報が複数あったとしても時計の針及び文字盤の数字が表示情報と重なる若しくは密集することなく、文字盤上の各表示情報を均等な間隔で表示することができ、時刻情報と表示情報の視認性を向上させることが可能となる。
【００６７】
したがって、本実施の形態によれば、角度算出部４により、時刻情報に基づいてアナログ時計の文字盤における時針と分針のなす角度を算出し、表示情報表示部５により、文字盤における角度の大きいほうの領域に表示情報を表示することで、時計の針と表示情報が重なることなく、文字盤上に表示情報を表示することができ、時刻情報と表示情報の視認性を向上させることができる。
【００６８】
また、本実施の形態によれば、数字算出部７により、時刻情報に基づいて時針及び分針のそれぞれ最も近い文字盤における数字を算出し、文字盤数字表示部８により、数字を文字盤の該当する位置に表示することで、文字盤の数字と表示情報が密集することなく、文字盤上に表示情報を表示することができ、時刻情報と表示情報の視認性を向上させることが可能となる。
【００６９】
また、本実施の形態によれば、表示情報がｎ個（ｎは２以上の整数）ある場合に、表示位置算出部６により、広いほうの角度をｎ＋１等分したｎ本の等分線を算出し、表示情報表示部５により、この等分線に対応する位置に各表示情報を表示することで、表示情報が複数あったとしても時計の針が表示情報と重なることなく、文字盤上の各表示情報を均等な間隔で表示することができ、時刻情報と表示情報の視認性を向上させることが可能となる。
【００７０】
尚、本実施の形態によれば、表示情報表示部５により、表示情報を文字盤における時針と分針のなす大きいほうの角度の領域に表示したが、時針及び分針に重ならないように表示することが可能であれば、これに限られるものではなく、例えば、表示情報を、時計針のなす角度の大きいほうの領域だけでなく角度の小さいほうの領域にも表示するようにしてもよい。
【００７１】
また、本実施の形態の本情報表示装置１は、制御装置、演算装置、入力装置、出力装置、記憶装置などの要素を備え、プログラムに従って各種の処理を実行することが可能なコンピュータシステムによって構成することが可能である。ここで例えばコンピュータシステムは、パーソナルコンピュータ、ノートブックコンピュータ、デジタルビデオカメラ、小型携帯情報端末、携帯電話などをさし、上記装置を備えた腕時計も含む。
【００７２】
以下に図７のコンピュータシステムの構成図を用いて例を示す。同図のコンピュータシステム１１０は、ＣＰＵ１１１と、メモリ１１２と、外部記憶装置１１３と、入力装置１１４と、表示装置１１５と、通信制御装置１１６と、水晶発振器１１７と、これら各装置を接続する専用バス１１８で構成される。
【００７３】
この場合は、例えば同図におけるメモリ１１２又はハードディスクドライブなどの外部記憶装置１１３が表示情報記憶部２又は時刻情報記憶部３に、演算機能を有するＣＰＵ１１１が角度算出部４及び表示位置算出部６及び数字算出部７及び表示情報処理部１１に、液晶表示装置などの表示装置１１５が表示情報表示部５及び文字盤数字表示部８に、水晶発振器１１７が現在時刻算出部９に、インターネット等のネットワークを介して通信を行うモデム等の通信制御装置１１６が通信部１０にそれぞれ相当する。入力装置１１４はアラーム機能などの各種設定条件の入力指示又は変更指示を受け付ける。ここでは、例えばＣＰＵ１１１がメモリ１１２上にロードされた所定のプログラムを実行することで、各装置の各機能が実現される。
【００７４】
さらに、本実施の形態における文字盤数字表示部８は、時刻情報記憶部３から読み出した時計の針の角度を基にして、アナログ時計の時針と分針を表示するようにしたが、これに限られるものではなく、例えば、情報表示装置は、表示面上に実物のアナログ時計の時計針を備えるような構成にしてもよい。
【００７５】
また、本実施の形態における表示情報は、インターネット経由で随時更新可能なオンライン情報としたが、これに限られるものではない。例えば、ニュースなどのリアルタイム性の高い情報だけでなく、予めダウンロードするなどした壁紙や交通機関の時刻表などといったリアルタイム性の低い情報であってもよい。
【００７６】
また、本実施の形態における表示情報の表示位置は、中心からの定距離ｒと等分線の角度を用いたが、平面上において位置を特定することが可能な情報であればこれに限られるものではなく、例えば表示情報の表示位置は、中心からの定距離ｒと等分線上の点の座標を用いてもよい。
【００７７】
また、本実施の形態において、表示情報であるチャンネルに関する設定は、チャンネルの形は矩形で、中心からの距離は定距離ｒであったが、これに限られるものではない。また、それ以外にもチャンネルの大きさに応じて最大チャンネル数を変更するなどの設定が可能な構成にしてもよい。その際は、通信部１０がネットワーク経由で受信する「チャンネル命令」に、それらの情報を加えてもよいし、アラーム機能等の設定と同様に入力手段からそれらの情報を入力するようにしてもよい。
【００７８】
また、本実施の形態においては、文字盤上に数字を表示する場合について説明したが、これに限定されるものではなく、例えば、時計のデザイン性を考慮し、文字盤上には数字を表示しないようにしてもよい。この場合は図５に示したフローチャートにおいて、ステップ７の文字盤の数字を算出するステップを省略すればよい。
【００７９】
また、本実施の形態において、文字盤上に表示する数字の算出方法は、現在時刻を３０分進めた時刻の時に対応する文字盤上の数字を時針に最も近い文字盤上の数字とし、現在時刻を４分進めたときと、４分戻した時の分針のなす角度の内側に含まれる数字を分針に最も近い文字盤の数字とするようにしたが、これに限られるものではなく、時針及び分針のそれぞれに最も近い文字盤における数字を文字盤の該当する位置に表示することができる方法であれば、それ以外のものであっても構わない。
【００８０】
また、本実施の形態における本情報表示装置１は、通信部１０及び表示情報処理部１１を備えた構成について説明したが、これに限られるものではない。例えば、アラーム機能などの基本設定を行う入力手段において、表示情報であるチャンネルの登録・削除等に関する「チャンネル命令」といった設定を可能な構成にし、表示情報をリアルタイム性の低い情報とした場合には、本情報表示装置１は、必ずしも通信部１０及び表示情報処理手段を備える必要が無くなり、このような構成においては、低コスト化を実現することが可能となる。
【００８１】
また、本実施の形態においては、各記憶手段に記憶される時刻情報又は表示情報などの情報は表示情報記憶部２又は時刻情報記憶部３に格納するように構成したが、これに限られるものではない。例えば、ハードディスクドライブなどの外部記憶装置又はメモリのいずれか一方を表示情報記憶部２及び時刻情報記憶部３とし、各情報を格納するようにしてもよいし、表示情報記憶部２又は時刻情報記憶部３をハードディスク又はメモリに割り当てて、これらに各情報を格納するようにしてもよい。
【図面の簡単な説明】
【００８２】
【図１】一実施の形態に係る本情報表示装置の全体を示す構成図である。
【図２】一実施の形態に係る本情報表示装置の正面図である。
【図３】一実施の形態に係る本情報表示装置の各記憶手段に格納されるデータの構成を示すテーブル図である。
【図４】一実施の形態に係る情報表示方法を説明するための本情報表示装置の正面図である。
【図５】一実施の形態に係る情報表示方法を説明するためのフローチャートである。
【図６】一実施の形態に係る本情報表示装置が４つの異なる時刻を表示した図である。
【図７】一実施の形態を適用可能なコンピュータシステムの構成図である。
【図８】時計型情報表示装置の第１の従来例を示す平面図である。
【図９】時計型情報表示装置の第２の従来例を示す平面図である。
【図１０】時計型情報表示装置の第２の従来例の問題点を示す平面図である。
【符号の説明】
【００８３】
１…情報表示装置
２…表示情報記憶部
３…時刻情報記憶部
４…角度算出部
５…表示情報表示部
６…表示位置算出部
７…数字算出部
８…文字盤数字表示部
９…現在時刻算出部
１０…通信部
１１…表示情報処理部
８０１…時計型情報表示装置の第１の従来例
８０２…第１の従来例における時刻表示領域
８０３…第１の従来例における表示情報表示領域
９０１…時計型情報表示装置の第２の従来例
９０２…第２の従来例における時刻表示領域
９０３…第２の従来例における表示情報表示領域
１０１…チャンネル１に対応する３等分線
１０２…チャンネル１の中心点
２０１…チャンネル２に対応する３等分線
２０２…チャンネル２の中心点
１１０…コンピュータシステム
１１１…ＣＰＵ
１１２…メモリ
１１３…外部記憶装置
１１４…入力装置
１１５…表示装置
１１６…通信制御装置
１１７…水晶発振器
１１８…専用バス
【図１】
2006242717.tif 000003
【図２】
2006242717.tif 000004
【図３】
2006242717.tif 000005
【図４】
2006242717.tif 000006
【図５】
2006242717.tif 000007
【図６】
2006242717.tif 000008
【図７】
2006242717.tif 000009
【図８】
2006242717.tif 000010
【図９】
2006242717.tif 000011
【図１０】
2006242717.tif 000012